(57)【要約】      （修正有）【課題】即時にテープの成型とねじの取り付けができる、テープ連結ネジ成型機を提供する。【解決手段】ふるい輸送装置と、粘着テープ圧出装置と、テープ連結ネジ成型装置と、テープ連結ネジ誘導装置とからなる。ふるい輸送装置は、ねじを一つ一つねじ受け車輪へと送り込む。粘着テープ圧出装置は、プラスチック材料を圧出して二本の粘着テープを形成する。テープ連結ネジ成型装置は、ねじ受け車輪のねじを二本の粘着テープにより両側から挟みこんで接着し、テープ連結ネジを形成する。テープ連結ネジ誘導装置は、接着成型されたテープ連結ネジを受け取り輸送する。テープ連結ネジ成形装置は、成型車輪５１のガイドに粘着テープが配置され、加圧車輪５２の挟圧により、ねじが２本の粘着テープに包み込まれるので、厚さが均一になりねじ打ち機への装填がスムーズになる。【選択図】図６
0003184430.tif 000002
【実用新案登録請求の範囲】
【請求項１】
装置台と、ふるい輸送装置と、粘着テープ圧出装置と、テープ連結ネジ成型装置と、テープ連結ネジ誘導装置とからなるテープ連結ネジ成型機であって、
前記装置台には、前記ふるい輸送装置と、粘着テープ圧出装置と、前記テープ連結ネジ成型装置とが設けられ、
前記ふるい輸送装置は、装置台に設けられるとともに、振動ふるい機と、振動ふるい機に連接して設けられた輸送レールと、前記輸送レールの底端に設けられたねじ受け車輪とからなり、
前記ねじ受け車輪は、装置台の一側面に設けられるとともに、その周縁にいくつかのねじ受け溝が周設され、また、前記ねじ受け車輪は、駆動モーターに連動し旋回することにより、振動ふるい機の中のねじが輸送レールを通って、一つ一つ配列されてねじ受け車輪のねじ受け溝へと送られ、
前記ねじ受け車輪の一側面には、さらに、ねじストッパーが枢設されて、その間がねじを通すための隙間を形成し、
前記粘着テープ圧出装置は、前記装置台に設けられるとともに、プラスチック材料圧出機と、前記圧出機に設けられた第一出力管及び第二出力管とからなり、前記第一出力管及び第二出力管にそれぞれ設けられた出力口から、プラスチック材料が圧出されて粘着テープが形成され、
前記テープ連結ネジ成型装置は、前記装置台の一側面における前記ねじ受け車輪の後方に設けられるとともに、成型車輪と、加圧車輪とからなり、
前記成型車輪は、前記粘着テープ圧出装置の前記第一出力管の下方に設けられ、
前記加圧車輪は、前記第二出力管の下方に設けられ、
前記成型車輪と前記加圧車輪の周縁には、いくつかのねじ溝と凸歯が、それぞれ形成されるとともに、前記ねじ溝にねじが配置され、
前記成型車輪の周縁には、前記加圧車輪の凸歯と対応するガイドが周設されるとともに、前記第一出力管から圧出された粘着テープは、前記ガイドに注入され、
前記第二出力管から圧出された粘着テープは、前記加圧車輪に注入され、
前記成型車輪と前記加圧車輪が駆動して噛み合い且つ互いに逆旋回することによって、前記第一出力管の粘着テープと前記第二出力管の粘着テープが、前記成型車輪と前記加圧車輪に挟まれて接着固定され、
前記テープ連結ネジ誘導装置は、前記装置台の一側面における前記ねじ受け車輪の下方に設けられるとともに、接着成型されたテープ連結ネジを受け取って輸送し、
上述の構造によって、即時にテープの成型とねじの取り付けを行うことを特徴とする、テープ連結ネジ成型機。
【請求項２】
前記加圧車輪の周縁の凸歯には、弧状溝が設けられることを特徴とする、請求項１に記載のテープ連結ネジ成型機。
【考案の詳細な説明】
【技術分野】
【０００１】
本考案は、テープ連結ネジ成型機に関し、特に、即時にテープの成型とねじの取り付けができる、テープ連結ネジ成型機に関する。
【背景技術】
【０００２】
現在、物品を螺合する時の作業スピードと利便性を向上させるために、いくつかのねじ・ボルトを予めテープに取り付けておくことによって、使用者が鋲打ち機を使って素早くねじ・ボルトと物品を結合することができるようにするという方法が用いられている。
【０００３】
図１を参照する。現在広く使用されている従来の差込式のテープ連結ネジは、先ずテープ１０を予め成型した後、テープ連結ネジ挿入機によってねじ・ボルト１１をテープ１０に差し込んでテープ連結ねじを形成しなければならない。以上のような、テープを予め成型した後にねじ・ボルトを差し込む方法は、製造・組み立ての不便さと製作コストの上昇を招くだけでなく、ねじ・ボルトの差し込み漏れや差し込みズレといった要因により、テープ連結ねじの欠陥や、後の螺合作業の不具合を招く。
【考案の概要】
【考案が解決しようとする課題】
【０００４】
上述の欠点を改善するため、本考案は、即時にテープの成型とねじの取り付けができる、テープ連結ネジ成型機を提供することを目的とする。
【課題を解決するための手段】
【０００５】
上述の目的を達成するため、本考案のテープ連結ネジ成型機は、装置台と、ふるい輸送装置と、粘着テープ圧出装置と、テープ連結ネジ成型装置と、テープ連結ネジ誘導装置とからなる。
【０００６】
前記装置台には、前記ふるい輸送装置と、前記粘着テープ圧出装置と、前記テープ連結ネジ成型装置とが設けられる。
【０００７】
前記ふるい輸送装置は、装置台に設けられるとともに、振動ふるい機と、前記振動ふるい機に連接して設けられた輸送レールと、前記輸送レールの底端に設けられたねじ受け車輪とからなる。前記ねじ受け車輪は、装置台の一側面に設けられるとともに、その周縁にいくつかのねじ受け溝が周設される。前記ねじ受け車輪は、駆動モーターによって旋回される。これにより、前記振動ふるい機の中のねじが輸送レールを通って、一つ一つ配列されて前記ねじ受け車輪の前記ねじ受け溝へと送られる。また、前記ねじ受け車輪の一側面には、ねじストッパーが枢設されて、その間がねじを通すための隙間を形成する。
【０００８】
前記粘着テープ圧出装置は、前記装置台に設けられるとともに、プラスチック材料圧出機と、前記圧出機に設けられた第一出力管及び第二出力管とからなる。前記第一出力管及び前記第二出力管にそれぞれ設けられた出力口からは、プラスチック材料が圧出されて粘着テープが形成される。
【０００９】
前記テープ連結ネジ成型装置は、前記装置台の一側面における前記ねじ受け車輪の後方に設けられるとともに、成型車輪と、加圧車輪とからなる。前記成型車輪は、前記粘着テープ圧出装置の前記第一出力管の下方に設けられ、前記加圧車輪は、前記第二出力管の下方に設けられる。前記成型車輪と前記加圧車輪の周縁には、いくつかのねじ溝と凸歯が、それぞれ形成される。前記ねじ溝には、ねじが設けられる。前記成型車輪の周縁には、前記加圧車輪の凸歯と対応するガイドが周設される。前記ガイドには、前記第一出力管から圧出された粘着テープが注入される。また、前記第二出力管から圧出された粘着テープは、前記加圧車輪に注入される。これにより、前記成型車輪と前記加圧車輪が駆動して噛み合い且つ互いに逆旋回することによって、前記第一出力管の粘着テープと前記第二出力管の粘着テープが、前記成型車輪と前記加圧車輪に挟まれて接着固定される。
【００１０】
前記テープ連結ネジ誘導装置は、前記装置台の一側面における前記ねじ受け車輪の下方に設けられるとともに、接着成型されたテープ連結ネジを受け取って輸送する。
【００１１】
上述の構造によって、即時にテープの成型とねじの取り付けができる、テープ連結ネジ成型機を提供する。
【図面の簡単な説明】
【００１２】
【図１】従来のテープ連結ネジとねじの斜視図である。
【図２】本考案を組み立てた状態を示した斜視図である。
【図３】本考案のねじ受け車輪と、粘着テープ圧出装置とテープ連結ネジ成型装置を別の角度から見た際の斜視図である。
【図４】本考案の成型車輪の斜視図である。
【図５】本考案の加圧車輪の斜視図である。
【図６】本考案のねじ受け車輪と、粘着テープ圧出装置と、テープ連結ネジ成型装置の背面図である。
【図７】本考案のねじが一つ一つねじ受け車輪へと送られるとともに、第一出力管と第二出力管が粘着テープを圧出する際の概略図である。
【図８】本考案のねじ受け車輪と、粘着テープ圧出装置と、テープ連結ネジ成型装置の背面図、及びねじと粘着テープが粘着してテープ連結ネジを形成する際の概略図である。
【図８Ａ】図８の一部の拡大図である。
【図９】本考案によって製作されたテープ連結ネジの斜視図である。
【考案を実施するための形態】
【００１３】
図２を参照する。本考案の実施例におけるテープ連結ネジ成型機は、装置台２０と、ふるい輸送装置３０と、粘着テープ圧出装置４０と、テープ連結ネジ成型装置５０と、テープ連結ネジ誘導装置６０とからなる。
【００１４】
装置台２０（図１を併せて参照する）には、ふるい輸送装置３０と、粘着テープ圧出装置４０と、テープ連結ネジ成型装置５０とが設けられる。また、装置台２０に設けられた材料タンク２１は、ねじ７０を入れておくために用いられる。
【００１５】
ふるい輸送装置３０（図３、図６を併せて参照する）は、装置台２０に設けられるとともに、振動ふるい機３１と、振動ふるい機３１に連接して設けられた輸送レール３２と、輸送レール３２の底端に設けられたねじ受け車輪３３とからなる。ねじ受け車輪３３は、装置台２０の一側面に設けられるとともに、その周縁にいくつかのねじ受け溝３４が周設される。ねじ受け車輪３３は、駆動モーター（図示せず）によって旋回される。これにより、振動ふるい機３１の中のねじ７０が輸送レール３２を通って、一つ一つ配列されてねじ受け車輪３３のねじ受け溝３４へと送られる。また、ねじ受け車輪３３の一側面にはねじストッパー３５が枢設されて、その間がねじを通すための隙間を形成する。
【００１６】
粘着テープ圧出装置４０（図３、図６を併せて参照する）は、装置台２０に設けられるとともに、プラスチック材料圧出機（図示せず）と、圧出機に設けられた第一出力管４１及び第二出力管４２とからなる。第一出力管４１及び第二出力管４２にそれぞれ設けられた出力口４１１及び出力口４２１により、プラスチック材料が圧出されて粘着テープが形成される。
【００１７】
テープ連結ネジ成型装置５０（図３、図４、図５、図６を併せて参照する）は、装置台２０の一側面におけるねじ受け車輪３３の後方に設けられるとともに、成型車輪５１と、加圧車輪５２とからなる。成型車輪５１は、粘着テープ圧出装置４０の第一出力管４１の下方に設けられ、加圧車輪５２は、第二出力管４２の下方に設けられる。成型車輪５１及び加圧車輪５２の周縁には、いくつかのねじ溝５１１及びねじ溝５２１と、凸歯５１２及び凸歯５２２が、それぞれ形成される。ねじ溝５１１とねじ溝５２１には、ねじ７０が設けられる。成型車輪５１の周縁には、加圧車輪５２の凸歯５２２と対応するガイド５１３が周設される。ガイド５１３には、第一出力管４１から圧出された粘着テープが注入される。また、第二出力管４２から圧出された粘着テープは、加圧車輪５２に注入される。そして、成型車輪５１と加圧車輪５２が駆動して噛み合い且つ互いに逆旋回することによって、第一出力管４１の粘着テープと第二出力管４２の粘着テープが、成型車輪５１と加圧車輪５２に挟まれて接着固定される。
【００１８】
上述を受け、好ましい実施例において、加圧車輪５２の周縁の凸歯５２２には、弧状溝５２３が設けられる。これにより、第二出力管４２から圧出された粘着テープが弧状溝５２３に集められる（図５を参照）。
【００１９】
テープ連結ネジ誘導装置６０（図６を併せて参照する）は、装置台２０の一側面におけるねじ受け車輪３３の下方に設けられるとともに、接着成型されたテープ連結ネジを受け取って輸送する。
【００２０】
上述の構造によって、ねじ７０は、振動ふるい機３１によって輸送レール３２を通して一つ一つねじ受け車輪３３のねじ溝３４へ輸送された後、ねじ受け車輪３３に連動し旋回してテープ連結ネジ成型装置５０の成型車輪５１と加圧車輪５２の間（図７を参照）へ移動する。この時、ねじストッパー３５に阻まれることにより、ねじ受け車輪３３に配置されたねじ７０が旋回して落下することがなくなる。同時に、粘着テープ圧出装置４０における第一出力管４１の出力口４１１と第二出力管４２の出力口４２１から、それぞれ粘着テープ８０Ａと粘着テープ８０Ｂが圧出されて、成型車輪５１のガイド５１３と加圧車輪５２に注入される。ねじ受け車輪３３に連動し旋回して成型車輪５１と加圧車輪５２の間へ移動したねじ７０は、それぞれのねじ溝５１１とねじ溝５２１に配置されるとともに、第一出力管４１と第二出力管４２から圧出された粘着テープ８０Ａと粘着テープ８０Ｂによって、その両側を包み込まれ（図８を参照）、さらに、成型車輪５１と加圧車輪５２に挟まれることで接着されてテープ連結ネジ８０（図９を参照）として形成される。また、ねじ受け車輪３３が旋回を続けて、誘導装置６０がテープ連結ネジ８０を受け取って輸送することによって、後続のまとめ作業を行うことができる。
【００２１】
本考案は、成型車輪５１のガイド５１３に粘着テープ８０Ａが配置されることと、加圧車輪５２の挟圧によって、ねじ７０が粘着テープ８０Ａ及び粘着テープ８０Ｂに包み込まれ、接着固定されてテープ連結ネジ８０として形成される点が特長的である。また、重力と、成型車輪５１及び加圧車輪５２の挟圧によって、テープ連結ネジ８０が均一な厚さに形成されるので、ねじ打ち機への装填がスムーズになる、まとめ作業の利便性が増す、テープ連結ネジの外観が向上するといった特長がある。
【符号の説明】
【００２２】
１０   テープ
１１   ねじ
２０   装置台
２１   材料タンク
３０   ふるい輸送装置
３１   振動ふるい機
３２   輸送レール
３３   ねじ受け車輪
３４   ねじ受け溝
３５   ねじストッパー
４０   粘着テープ圧出装置
４１   第一出力管
４１１ 出力口
４２   第二出力管
４２１ 出力口
５０   テープ連結ネジ成型装置
５１   成型
５１１ ねじ溝
５１２ 凸歯
５１３ ガイド
５２   加圧車輪
５２１ ねじ溝
５２２ 凸歯
５２３ 弧状溝
６０   テープ連結ネジ誘導装置
７０   ねじ
８０   テープ連結ネジ
８０Ａ 粘着テープ
８０Ｂ 粘着テープ
【図１】
0003184430.tif 000003
【図２】
0003184430.tif 000004
【図３】
0003184430.tif 000005
【図４】
0003184430.tif 000006
【図５】
0003184430.tif 000007
【図６】
0003184430.tif 000008
【図７】
0003184430.tif 000009
【図８】
0003184430.tif 000010
【図８Ａ】
0003184430.tif 000011
【図９】
0003184430.tif 000012